(57)【要約】【課題】本発明は、ドットラインプリンタのハンマ機構部で隣接したハンマモジュールが無い両端部の印字ハンマの磁気吸引力の差により生じる打撃力バラツキを低減することを課題とするものである。【解決手段】複数個のハンマモジュールの桁方向全長寸法Ｌに対して、ハンマベース上に配設されたマグネットの桁方向寸法Ｌ２を、Ｌ＜Ｌ２またはＬ＞Ｌ２とし、ハンマモジュールの右端および左端位置からマグネットを各々（Ｌ２−Ｌ）／２づつ桁方向に突出または凹ませた。【選択図】  図１
2004202909.tif 000002
【特許請求の範囲】
【請求項１】
板バネの先端に印字ピンを備えた印字ハンマを、マグネット、ヨークベース、コムヨークからなるハンマベースおよび印字ハンマ自体で構成する閉磁気回路で吸引して撓みを与え、前記閉磁気回路の磁界を打ち消す釈放用電磁コイルを適時駆動する事で撓みを与えた前記印字ハンマを釈放し、ドットを印字するドットラインプリンタにおいて、前記印字ハンマを桁及び行方向に所定ピッチで複数個並べて１モジュールとしたハンマモジュールを桁方向に複数個前記ハンマベース上に配設し、前記複数個のハンマモジュールの桁方向全長寸法Ｌに対して前記ハンマベース上に配設された前記マグネットの桁方向寸法Ｌ２をＬ＜Ｌ２とし、前記ハンマモジュールの右端および左端位置から前記マグネットを各々（Ｌ２−Ｌ）／２ずつ桁方向に突出させた事を特長とするドットラインプリンタ。
【請求項２】
板バネの先端に印字ピンを備えた印字ハンマを、マグネット、ヨークベース、コムヨークからなるハンマベースおよび印字ハンマ自体で構成する閉磁気回路で吸引して撓みを与え、前記閉磁気回路の磁界を打ち消す釈放用電磁コイルを適時駆動する事で撓みを与えた前記印字ハンマを釈放し、ドットを印字するドットラインプリンタにおいて、前記印字ハンマを桁及び行方向に所定ピッチで複数個並べて１モジュールとしたハンマモジュールを桁方向に複数個前記ハンマベース上に配設し、前記複数個のハンマモジュールの桁方向全長寸法Ｌに対して前記ハンマベース上に配設された前記マグネットの桁方向寸法Ｌ２をＬ＞Ｌ２とし、前記ハンマモジュールの右端および左端位置から前記マグネットを各々（Ｌ２−Ｌ）／２ずつ桁方向に凹ませた事を特長とするドットラインプリンタ。
【発明の詳細な説明】
【０００１】
【発明の属する技術分野】
本発明はドットラインプリンタハンマに関し、更に詳しくはハンマ機構部の磁気回路改善に関するものである
【０００２】
【従来の技術】
図４を用い従来技術を説明する。
【０００３】
ドットラインプリンタの印字方式は図示していない印字ハンマを有するハンマ機構部２を図示していないシャトル機構部により桁方向に往復移動する。この過程でインクリボン３、印字用紙５を挟み、印字力を保持するプラテン４に対して印字ハンマ１を駆動し、印字用紙５にインクリボン３のインクを転写しドットマトリクスの形で印字する印字動作と、ステッピングモータ６を駆動しトラクタ７を介して印字用紙を桁方向と垂直に送る紙送り動作、とを交互に繰り返しながら、文字、図形などの印刷を行う。
【０００４】
図３と図４を用いて、ハンマ機構部２の詳細を説明する。図３はハンマ機構部２の斜視図であり、図４は横断面図を示すものである。
【０００５】
ドットラインプリンタは印字ハンマ１が打撃する力で、インクを用紙に転写し文字図形などの印字するプリンタであり、厚さの異なるさまざまな用紙や、配送伝票などの複写用多部紙に印字できる特長を有する。
【０００６】
ハンマ機構部は板バネ１１の先端に印字ピン１２を備えた印字ハンマ１を、マグネット２１、ヨークベース２２、コムヨーク２３からなるハンマベース２６および印字ハンマ１自体で構成する閉磁気回路で吸引し撓みを与え、閉磁気回路の磁界を打ち消す釈放用電磁コイル２４を、適時駆動する事で撓みを与えた印字ハンマ１を釈放して、ドットを印字する。印字ハンマ１を桁及び行方向に所定ピッチで複数並べ、それを１モジュールとしたハンマモジュール２５を桁方向に複数個ハンマベース２６上に配設した構成である。また、ハンマモジュール２５を複数個並べたときの桁方向の全長寸法Ｌに対して、ハンマベース２６上に配設されたマグネット２１、及びコムヨーク２３の桁方向寸法Ｌ２を、Ｌ＝Ｌ２とし配設している。
【０００７】
ハンマ機構部の性能は複数有る印字ハンマ１の打撃する力の大きさと、バラツキの少なさが要求される。打撃する力の大きさとばらつきは、印字ハンマ１の撓みエネルギを貯える為の磁気吸引エネルギに左右される。印字ハンマ１のばね定数をｋ、撓み量をＸとすると、（印字ハンマ１の撓みエネルギ）＝１／２ｋＸ２＝（磁気吸引力）であらわされ、ばね定数が一定であれば、磁気吸引力の大小により印字力が決定される。
【０００８】
従来技術では、マグネット２１、ヨークベース２２、コムヨーク２３からなるハンマベース２６に磁気回路補強部材を取り付け、磁路の断面積を大きくして吸着力を確保し、なおかつ磁気回路補強部材の取り付け個数を変化させる事で、ハンマ機構部の磁気吸引力のバラツキを低減する方法が紹介されている（例えば、特許文献１参照。）。
【０００９】
また、印字ハンマ１の個数を間引いて印刷速度の遅い機種を構成するとき、印字ハンマ１を間引いた箇所の両端の磁気吸引力がばらつき、ハンマ機構部の性能が低下する為、間引いた箇所にダミーハンマを入れ、全印字ハンマ１での吸引力の安定化を図っている（例えば、特許文献２参照。）。
【００１０】
また、従来技術では隣接したハンマモジュール２５が無い端部の印字ハンマ１Ａにおいては、隣接する片側の印字ハンマ１が無い為、他の印字ハンマ１に比べ磁気吸引力のバラツキが大きく、左右端各々２〜３個の印字ハンマ１Ａは実際の印字には使用できないものであった。
【特許文献１】
特開平１１−２０８０３８号公報
【特許文献２】
特開平０９−２０１９８７号公報
【００１１】
【発明が解決しようとする課題】
従来技術においては、隣接したハンマモジュール２５が無い両端部の印字ハンマ１Ａにおいては、隣接する片側の印字ハンマ１が無い為、他の印字ハンマ１に比べ磁気吸引力のバラツキが大きく、左右端各々２〜３個の印字ハンマ１Ａは実際の印字には使用できないものであった。実装されていても使用できない印字ハンマ１Ａが有る事で、プリンタの速度アップを考えたときに効率が悪く無駄となっていた。
【００１２】
【課題を解決するための手段】
上記課題は、複数個のハンマモジュールの桁方向全長寸法Ｌに対して、ハンマベース上に配設されたマグネットの桁方向寸法Ｌ２を、Ｌ＜Ｌ２またはＬ＞Ｌ２とし、ハンマモジュールの右端および左端位置からマグネット２１を各々（Ｌ２−Ｌ）／２ずつ桁方向に突出、または凹ませることによって解決される。
【００１３】
【発明の実施の形態】
本発明を図１と図２を使用して説明する。
【００１４】
コムヨーク２３は各々の印字ハンマ１に対応した櫛形状をしている。印字ハンマ１が連続している状態では磁束が均等に各櫛部に通り、結果として均等な磁気吸引力が得られる。これに対し端部に隣接する印字ハンマ１が無い場合は、片側からの磁束の流れ込みが無く端部付近の印字ハンマＡにおいては吸着力が低下する現象が起きる。これに対し図１に示すようにマグネット２１のみをハンマモジュール２５端面より突出させてやる事により端部の印字ハンマ１Ａの磁束を増やし、結果として吸引力を上げる事ができる。
【００１５】
同様に、コムヨーク２５端部の磁束が多い（吸着力が高い）場合は図２に示すようにマグネット２１のみをハンマモジュール２５端面より凹ませる事により磁束を低下する事ができる。
【００１６】
端部印字ハンマＡの磁束（吸着力）の状況に応じて、マグネット２１突出量（凹量）を調節する事によりコムヨーク２５の櫛部に流れる磁束を調節する事ができ、結果として、各印字ハンマ１で均等な印字力を得る事ができる。
【図面の簡単な説明】
【図１】本発明におけるハンマ機構部の一例を示す斜視図。
【図２】本発明におけるハンマ機構部の他の例を示す斜視図。
【図３】従来のハンマ機構部を示す斜視図。
【図４】従来のハンマ機構部を示す横断面図。
【図５】従来のドットラインプリンタを示す斜視図。
【符号の説明】
１は印字ハンマ、１Ａは端部付近の印字ハンマ、２はハンマ機構部、３はインクリボン、４はプラテン、５は印字用紙、６はステッピングモータ、７はトラクタ、１１は板バネ、１２は印字ピン、２１はマグネット、２２はヨークベース。２３はコムヨーク、２４は釈放用電磁コイル、２５はハンマモジュール、２６はハンマベースである。
【図１】
2004202909.tif 000003
【図２】
2004202909.tif 000004
【図３】
2004202909.tif 000005
【図４】
2004202909.tif 000006
【図５】
2004202909.tif 000007